(57)【要約】【課題】増設用の室内外機を設計する際に既設の仕様に制限されず、また、最新の室内外機を購入して、簡単に置換え増設することができる空気調和機の提供。【解決手段】室内外機１〜６が、制御プログラムを改訂版数情報と共に記憶する書換え可能な第１記憶手段２１〜２６を有する空気調和機。室内外機１〜６は、自己以外の室内外機１〜６の各制御プログラムを、各改訂版数情報と共に記憶する書換え可能な第２記憶手段２１〜２６を備え、所定の操作を受けて、自己以外の室内外機１〜６の第１、第２記憶手段２１〜２６内の各改訂版数情報を取得し、取得した各改訂版数情報、並びに自己の第１、第２記憶手段２１〜２６内の各改訂版数情報を種類別に比較し、その結果が、取得した改訂版数情報が最新であるときは、その改訂版数情報の制御プログラムを取得して、自己の第１、第２記憶手段２１〜２６内の制御プログラムを更新する構成である。【選択図】図１
2008304144.tif 000002
【特許請求の範囲】
【請求項１】
１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機において、
前記室外機及び室内機は、自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする空気調和機。
【請求項２】
１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室内機において、
自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする室内機。
【請求項３】
１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室外機において、
自己以外の前記室内機及び／又は室外機の動作を制御する制御プログラムを、改訂版数情報と共に記憶する書換え可能な第２記憶手段と、所定の操作を受けて、前記室内機の第１及び第２記憶手段内の各改訂版数情報を取得する取得手段と、該取得手段が取得した各改訂版数情報、並びに自己の前記第１及び第２記憶手段内の各改訂版数情報を、室外機及び室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする室外機。
【請求項４】
複数種類の各１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機において、
前記室内機及び室外機は、自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び複数種類の室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする空気調和機。
【請求項５】
複数種類の各１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室内機において、
自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び複数種類の室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする室内機。
【請求項６】
複数種類の各１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室外機において、
自己以外の前記室内機及び／又は室外機の動作を制御する制御プログラムを、改訂版数情報と共に記憶する書換え可能な第２記憶手段と、所定の操作を受けて、前記室内機の第１及び第２記憶手段内の各改訂版数情報を取得する取得手段と、該取得手段が取得した各改訂版数情報、並びに自己の前記第１及び第２記憶手段内の各改訂版数情報を、室外機及び複数種類の室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする室外機。
【請求項７】
前記室内機及び室外機は、前記所定の操作を受けてから、前記比較結果が、取得手段が取得した改訂版数情報が最新でないとなったとき迄、又は前記記憶手段内の制御プログラムの更新が終了したとき迄、制御プログラムの更新中であることを表示する手段を更に備える請求項１又は４記載の空気調和機。
【請求項８】
前記所定の操作を受けてから、前記比較結果が、取得手段が取得した改訂版数情報が最新でないとなったとき迄、又は前記記憶手段内の制御プログラムの更新が終了したとき迄、制御プログラムの更新中であることを表示する手段を更に備える請求項２又は５記載の室内機。
【請求項９】
前記所定の操作を受けてから、前記比較結果が、取得手段が取得した改訂版数情報が最新でないとなったとき迄、又は前記記憶手段内の制御プログラムの更新が終了したとき迄、制御プログラムの更新中であることを表示する手段を更に備える請求項３又は６記載の室外機。
【発明の詳細な説明】
【技術分野】
【０００１】
本発明は、その動作を制御する制御プログラムの書換えを簡単にできる空気調和機、室内機及び室外機に関するものである。
【背景技術】
【０００２】
空気調和機は、小規模のものを除いて、１又は複数の室内機及び１台の室外機からなり、これらの動作を制御する為に、従来は、室内機にその制御プログラムを格納したＥＥＰＲＯＭ（Electrically-Erasable Programmable ROM）、及びＥＥＰＲＯＭに格納された制御プログラムを実行するマイクロコンピュータ（以下、マイコンと記載）を備えている。
リモートコントローラ等の操作手段から入力された操作指示に従って作動する場合、室内機のマイコンは、ＥＥＰＲＯＭから読み出した制御プログラムを実行して自身に搭載された各種ハードウェアの動作を制御すると共に、必要に応じて室外機の動作を制御する為の制御信号を室外機側へ送信し、全体として空気調和機として作動させている。
【０００３】
複数の室内機と１台の室外機とを備えるマルチエアコントロールシステム（以下、マルチエアコンと記す）を開発し販売する際、従来は、システム全体を設計した後、製造し販売している。また、新システムに拡張する際には、旧システムの仕様を考慮しながら、新しい機器の設計を行っている。
【０００４】
特許文献１には、通信接続された室内ユニットの機種を判別し、判別した機種情報を室内ユニットに係る運転制御プログラムの更新バージョン情報と共に書換可能に格納しておき、判別した室内ユニットに係る運転制御プログラムの一部又は全てを更新し、当該更新後の運転制御プログラムで、当該室外ユニットに設定されている室内ユニットの運転制御プログラムを書換える空気調和機の制御装置が開示されている。
【０００５】
特許文献２には、室外側ＥＣＵに外部機器を接続して、最新バージョンの室外機用及び室内機用の運転制御プログラムを、室外側ＥＣＵのフラッシュメモリに転送して書換え、次いで、書換えた最新バージョンの室内機用の運転制御プログラムと、室内機に格納された運転制御プログラムとのバージョンチェックを行い、バージョンが異なる場合、室内機に格納された運転制御プログラムを最新バージョンに書換える空気調和機の制御装置が開示されている。
【特許文献１】特開２００４−２９４０２８号公報
【特許文献２】特開２００２−８１７２１号公報
【発明の開示】
【発明が解決しようとする課題】
【０００６】
従来の空気調和機は、室内機及び室外機の制御プログラムを書換えるのに手間が掛かるので、制御プログラムを書換えることは想定されていない。その為、最新設計の室内機を従来のマルチエアコンに接続可能にする場合、従来のマルチエアコンの仕様に合わせて設計する必要があり、設計仕様が制限されていた。
しかし、近時、書込み（書換え）速度がＥＥＰＲＯＭに比べて格段に速いフラッシュメモリを内蔵したフラッシュマイコンが普及し、空気調和機にも搭載されるようになっている。その為、空気調和機の制御内容の変更が容易になり、最新の室内機又は室外機を購入して、簡単に置換え又は増設することができる空気調和機が望まれている。
【０００７】
本発明は、上述したような事情に鑑みてなされたものであり、増設用の室内機又は室外機を設計する際に、既設の仕様に制限されず、また、制御内容の変更が容易であり、最新の室内機又は室外機を購入して、簡単に置換え又は増設することができる空気調和機を提供することを目的とする。
【０００８】
本発明は、増設用の室内機又は室外機を設計する際に、既設の仕様に制限されず、また、制御内容の変更が容易であり、最新の室内機又は室外機を購入して、簡単に置換え又は増設することができる空気調和機の室内機を提供することを目的とする。
本発明は、増設用の室内機又は室外機を設計する際に、既設の仕様に制限されず、また、制御内容の変更が容易であり、最新の室内機又は室外機を購入して、簡単に置換え又は増設することができる空気調和機の室外機を提供することを目的とする。
【課題を解決するための手段】
【０００９】
本発明に係る空気調和機は、１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機において、前記室外機及び室内機は、自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする。
【００１０】
この空気調和機では、室外機及び室内機は、自己以外の室内機及び／又は室外機の動作を制御する制御プログラムを、書換え可能な第２記憶手段が、改訂版数情報と共に記憶し、所定の操作を受けて、自己以外の室内機及び／又は室外機の第１及び第２記憶手段内の各改訂版数情報を、取得手段が取得する。取得手段が取得した各改訂版数情報、並びに自己の第１及び第２記憶手段内の各改訂版数情報を、室外機及び室内機別に比較し、その比較結果が、取得手段が取得した改訂版数情報が最新であるときは、その改訂版数情報の制御プログラムを取得し、取得した制御プログラムにより、自己の第１及び／又は第２記憶手段内の制御プログラムを更新する。
【００１１】
本発明に係る室内機は、１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室内機において、自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする。
【００１２】
この室内機では、自己以外の室内機及び／又は室外機の動作を制御する制御プログラムを、書換え可能な第２記憶手段が改訂版数情報と共に記憶し、所定の操作を受けて、自己以外の室内機及び／又は室外機の第１及び第２記憶手段内の各改訂版数情報を、取得手段が取得する。取得手段が取得した各改訂版数情報、並びに自己の第１及び第２記憶手段内の各改訂版数情報を、室外機及び室内機別に比較し、その比較結果が、取得手段が取得した改訂版数情報が最新であるときは、その改訂版数情報の制御プログラムを取得し、取得した制御プログラムにより、自己の第１及び／又は第２記憶手段内の制御プログラムを更新する。
【００１３】
本発明に係る室外機は、１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室外機において、自己以外の前記室内機及び／又は室外機の動作を制御する制御プログラムを、改訂版数情報と共に記憶する書換え可能な第２記憶手段と、所定の操作を受けて、前記室内機の第１及び第２記憶手段内の各改訂版数情報を取得する取得手段と、該取得手段が取得した各改訂版数情報、並びに自己の前記第１及び第２記憶手段内の各改訂版数情報を、室外機及び室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする。
【００１４】
この室外機では、自己以外の室内機及び／又は室外機の動作を制御する制御プログラムを、書換え可能な第２記憶手段が改訂版数情報と共に記憶し、所定の操作を受けて、室内機の第１及び第２記憶手段内の各改訂版数情報を、取得手段が取得する。取得手段が取得した各改訂版数情報、並びに自己の第１及び第２記憶手段内の各改訂版数情報を、室外機及び室内機別に比較し、その比較結果が、取得手段が取得した改訂版数情報が最新であるときは、その改訂版数情報の制御プログラムを取得し、取得した制御プログラムにより、自己の第１及び／又は第２記憶手段内の制御プログラムを更新する。
【００１５】
本発明に係る空気調和機は、複数種類の各１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機において、前記室内機及び室外機は、自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び複数種類の室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする。
【００１６】
この空気調和機では、複数種類の室内機及び室外機は、自己以外の室内機及び／又は室外機の動作を制御する制御プログラムを、書換え可能な第２記憶手段が改訂版数情報と共に記憶し、所定の操作を受けて、自己以外の室内機及び／又は室外機の第１及び第２記憶手段内の各改訂版数情報を、取得手段が取得する。取得手段が取得した各改訂版数情報、並びに自己の第１及び第２記憶手段内の各改訂版数情報を、室外機及び複数種類の室内機別に比較し、その比較結果が、取得手段が取得した改訂版数情報が最新であるときは、その改訂版数情報の制御プログラムを取得し、取得した制御プログラムにより、自己の第１及び／又は第２記憶手段内の制御プログラムを更新する。
【００１７】
本発明に係る室内機は、複数種類の各１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室内機において、自己以外の前記室内機及び／又は室外機の動作を制御する制御プログラムを、改訂版数情報と共に記憶する書換え可能な第２記憶手段と、所定の操作を受けて、自己以外の前記室内機及び／又は室外機の前記第１及び第２記憶手段内の各改訂版数情報を取得する取得手段と、該取得手段が取得した各改訂版数情報、並びに自己の前記第１及び第２記憶手段内の各改訂版数情報を、室外機及び複数種類の室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする。
【００１８】
この室内機は、自己以外の複数種類の室内機及び／又は室外機の動作を制御する制御プログラムを、書換え可能な第２記憶手段が改訂版数情報と共に記憶し、所定の操作を受けて、自己以外の室内機及び／又は室外機の第１及び第２記憶手段内の各改訂版数情報を、取得手段が取得する。取得手段が取得した各改訂版数情報、並びに自己の第１及び第２記憶手段内の各改訂版数情報を、室外機及び複数種類の室内機別に比較し、その比較結果が、取得手段が取得した改訂版数情報が最新であるときは、その改訂版数情報の制御プログラムを取得し、取得した制御プログラムにより、自己の第１及び／又は第２記憶手段内の制御プログラムを更新する。
【００１９】
本発明に係る室外機は、複数種類の各１又は複数の室内機と、該室内機に接続された室外機とを備え、該室内機及び室外機は、それぞれの動作を制御する制御プログラムを、改訂版数情報と共に記憶する書換え可能な第１記憶手段をそれぞれ有する空気調和機の室外機において、自己以外の前記室内機及び／又は室外機の動作を制御する制御プログラムを、改訂版数情報と共に記憶する書換え可能な第２記憶手段と、所定の操作を受けて、前記室内機の第１及び第２記憶手段内の各改訂版数情報を取得する取得手段と、該取得手段が取得した各改訂版数情報、並びに自己の前記第１及び第２記憶手段内の各改訂版数情報を、室外機及び複数種類の室内機別に比較する手段と、該手段の比較結果が、前記取得手段が取得した改訂版数情報が最新であるときは、該改訂版数情報の制御プログラムを取得する手段と、該手段が取得した制御プログラムにより、自己の前記第１及び／又は第２記憶手段内の制御プログラムを更新する手段とを備えることを特徴とする。
【００２０】
この室外機では、自己以外の複数種類の室内機及び／又は室外機の動作を制御する制御プログラムを、書換え可能な第２記憶手段が改訂版数情報と共に記憶し、所定の操作を受けて、室内機の第１及び第２記憶手段内の各改訂版数情報を、取得手段が取得する。取得手段が取得した各改訂版数情報、並びに自己の第１及び第２記憶手段内の改訂版数情報を、室外機及び複数種類の室内機別に比較し、その比較結果が、取得手段が取得した改訂版数情報が最新であるときは、その改訂版数情報の制御プログラムを取得し、取得した制御プログラムにより、自己の第１及び／又は第２記憶手段内の制御プログラムを更新する。
【００２１】
本発明に係る空気調和機は、前記室内機及び室外機は、前記所定の操作を受けてから、前記比較結果が、取得手段が取得した改訂版数情報が最新でないとなったとき迄、又は前記記憶手段内の制御プログラムの更新が終了したとき迄、制御プログラムの更新中であることを表示する手段を更に備えることを特徴とする。
【００２２】
本発明に係る室内機は、前記所定の操作を受けてから、前記比較結果が、取得手段が取得した改訂版数情報が最新でないとなったとき迄、又は前記記憶手段内の制御プログラムの更新が終了したとき迄、制御プログラムの更新中であることを表示する手段を更に備えることを特徴とする。
【００２３】
本発明に係る室外機は、前記所定の操作を受けてから、前記比較結果が、取得手段が取得した改訂版数情報が最新でないとなったとき迄、又は前記記憶手段内の制御プログラムの更新が終了したとき迄、制御プログラムの更新中であることを表示する手段を更に備えることを特徴とする。
【発明の効果】
【００２４】
本発明に係る空気調和機によれば、増設用の室内機又は室外機を設計する際に、既設の仕様に制限されず、また、制御内容の変更が容易であり、最新の室内機又は室外機を購入して、簡単に置換え又は増設することができる空気調和機を実現することができる。
【００２５】
本発明に係る室内機によれば、増設用の室内機又は室外機を設計する際に、既設の仕様に制限されず、また、制御内容の変更が容易であり、最新の室内機又は室外機を購入して、簡単に置換え又は増設することができる空気調和機の室内機を実現することができる。
【００２６】
本発明に係る室外機によれば、増設用の室内機又は室外機を設計する際に、既設の仕様に制限されず、また、制御内容の変更が容易であり、最新の室内機又は室外機を購入して、簡単に置換え又は増設することができる空気調和機の室外機を実現することができる。
【発明を実施するための最良の形態】
【００２７】
以下に、本発明をその実施の形態を示す図面に基づき説明する。
図１は、本発明に係る空気調和機、室内機及び室外機の実施の形態の要部構成を示すブロック図である。この空気調和機は、壁掛け型室内機６と、床置き型室内機５と、天井に埋込まれたカセット型の天カセ型室内機４と、天井裏に埋込まれダクトを利用して送風するダクト型室内機３と、床置き及び天井埋込み兼用の床天型室内機２と、室外に設置される室外機１とを備えている。
【００２８】
室外機１は、制御回路１１内に自身の動作を制御する為の制御プログラム、及び室内機２〜６の各動作を制御する為の各制御プログラム（但し、室外機１では制御に使用しない）を格納したフラッシュマイコン２１を備えている。また、フラッシュマイコン２１が格納している各制御プログラムの更新を指示する為の更新スイッチ３１、及びその更新中であることを通知する表示灯（表示する手段）４１を備えている。
フラッシュマイコン２１は、内蔵するフラッシュメモリ（後述）に各制御プログラムを格納している。
【００２９】
床天型室内機２は、制御回路１２内に自身の動作を制御する為の制御プログラム、並びに室内機３〜６及び室外機１の各動作を制御する為の各制御プログラム（但し、室内機２では制御に使用しない）を格納したフラッシュマイコン２２を備えている。また、フラッシュマイコン２２が格納している各制御プログラムの更新を指示する為の更新スイッチ３２、及びその更新中であることを通知する表示灯（表示する手段）４２を備えている。
フラッシュマイコン２２は、内蔵するフラッシュメモリ（後述）に各制御プログラムを格納している。
【００３０】
ダクト型室内機３は、制御回路１３内に自身の動作を制御する為の制御プログラム、並びに室内機２，４〜６及び室外機１の各動作を制御する為の各制御プログラム（但し、室外機３では制御に使用しない）を格納したフラッシュマイコン２３を備えている。また、フラッシュマイコン２３が格納している各制御プログラムの更新を指示する為の更新スイッチ３３、及びその更新中であることを通知する表示灯（表示する手段）４３を備えている。
フラッシュマイコン２３は、内蔵するフラッシュメモリ（後述）に各制御プログラムを格納している。
【００３１】
天カセ型室内機４は、制御回路１４内に自身の動作を制御する為の制御プログラム、並びに室内機２，３，５，６及び室外機１の各動作を制御する為の各制御プログラム（但し、室内機４では制御に使用しない）を格納したフラッシュマイコン２４を備えている。また、フラッシュマイコン２４が格納している各制御プログラムの更新を指示する為の更新スイッチ３４、及びその更新中であることを通知する表示灯（表示する手段）４４を備えている。
フラッシュマイコン２４は、内蔵するフラッシュメモリ（後述）に各制御プログラムを格納している。
【００３２】
床置き型室内機５は、制御回路１５内に自身の動作を制御する為の制御プログラム、並びに室内機２〜４，６及び室外機１の各動作を制御する為の各制御プログラム（但し、室外機５では制御に使用しない）を格納したフラッシュマイコン２５を備えている。また、フラッシュマイコン２５が格納している各制御プログラムの更新を指示する為の更新スイッチ３５、及びその更新中であることを通知する表示灯（表示する手段）４５を備えている。
フラッシュマイコン２５は、内蔵するフラッシュメモリ（後述）に各制御プログラムを格納している。
【００３３】
壁掛け型室内機６は、制御回路１６内に自身の動作を制御する為の制御プログラム、並びに室内機２〜５及び室外機１の各動作を制御する為の各制御プログラム（但し、室内機６では制御に使用しない）を格納したフラッシュマイコン２６を備えている。また、フラッシュマイコン２６が格納している各制御プログラムの更新を指示する為の更新スイッチ３６、及びその更新中であることを通知する表示灯（表示する手段）４６を備えている。
フラッシュマイコン２６は、内蔵するフラッシュメモリ（後述）に各制御プログラムを格納している。
【００３４】
室外機１のフラッシュマイコン２１と、室内機２〜６のフラッシュマイコン２２〜２６とは、それぞれのコードで接続されている。
尚、図１の構成では、室内機２〜６を各１台としているが、室内機２〜６を１又は複数備えている場合でも、また、室内機が１台である場合でも、その動作は同様である。
制御プログラムを更新は、例えば、室内機２〜６の増設、室内機２〜６の新型のものへの取替え、又は室外機１の新型のものへの取替え等の場合に行われる。
【００３５】
図２は、図１に示すフラッシュマイコン２１〜２６の内部構成例を示すブロック図である。このフラッシュマイコン２１〜２６は、各種の演算処理を行うＣＰＵ５１と、通信プログラム、制御プログラム等、室外機１及び室内機２〜６の動作を制御する為に必要なデータを記憶するフラッシュメモリ５２とを備えている。また、ＣＰＵ５１及びフラッシュメモリ５２にアドレス／データバス５６を通じて接続され、他のフラッシュマイコン２１〜２６、及びフラッシュマイコン２１〜２６自身が制御する図示しないモータの駆動回路、及び操作スイッチ等の機器と接続する為の接続インタフェース５５を備えている。
【００３６】
ＣＰＵ５１は、フラッシュメモリ５２に格納された制御プログラムに従って、そのフラッシュマイコン２１〜２６が搭載された室外機１又は室内機２〜６の動作を制御する。フラッシュメモリ５２は、書換えが可能な記憶手段であり、その記憶領域の一部は、接続インタフェース５５を通じて接続された機器と通信を行う為の通信プログラムが格納された通信プログラム記憶領域５３として利用される。また、そのフラッシュマイコン２１〜２６が搭載された室外機１又は室内機２〜６の動作を制御する制御プログラムが格納された制御プログラム記憶領域（第１記憶手段）５４、及び他の室外機１又は室内機２〜６の動作を制御する為の制御プログラムが格納された他機制御プログラム記憶領域（第２記憶手段）５７として利用される。
【００３７】
室外機１のフラッシュマイコン２１は、例えば、図３（ａ）に示すように、制御プログラム記憶領域５４に、室外機１の制御プログラム（Ｖｅｒ．５（第５版））が格納されている。また、他機制御プログラム記憶領域５７に、床天型室内機２の制御プログラム（Ｖｅｒ．３（第３版））と、ダクト型室内機３の制御プログラム（Ｖｅｒ．１）と、天カセ型室内機４の制御プログラム（Ｖｅｒ．４）と、床置き型室内機５の制御プログラム（Ｖｅｒ．６）と、壁掛け型室内機６の制御プログラム（Ｖｅｒ．２）とが格納されている。
【００３８】
床天型室内機２のフラッシュマイコン２２は、例えば、図３（ｂ）に示すように、制御プログラム記憶領域５４に、床天型室内機２の制御プログラム（Ｖｅｒ．１）が格納されている。また、他機制御プログラム記憶領域５７に、ダクト型室内機３の制御プログラム（Ｖｅｒ．４）と、天カセ型室内機４の制御プログラム（Ｖｅｒ．２）と、床置き型室内機５の制御プログラム（Ｖｅｒ．３）と、壁掛け型室内機６の制御プログラム（Ｖｅｒ．５）と、室外機１の制御プログラム（Ｖｅｒ．１）とが格納されている。
【００３９】
ダクト型室内機３のフラッシュマイコン２３は、例えば、図４（ａ）に示すように、制御プログラム記憶領域５４に、ダクト型室内機３の制御プログラム（Ｖｅｒ．２）が格納されている。また、他機制御プログラム記憶領域５７に、床天型室内機２の制御プログラム（Ｖｅｒ．４）と、天カセ型室内機４の制御プログラム（Ｖｅｒ．３）と、床置き型室内機５の制御プログラム（Ｖｅｒ．１）と、壁掛け型室内機６の制御プログラム（Ｖｅｒ．４）と、室外機１の制御プログラム（Ｖｅｒ．７）とが格納されている。
【００４０】
天カセ型室内機４のフラッシュマイコン２４は、例えば、図４（ｂ）に示すように、制御プログラム記憶領域５４に、天カセ型室内機４の制御プログラム（Ｖｅｒ．１）が格納されている。また、他機制御プログラム記憶領域５７に、床天型室内機２の制御プログラム（Ｖｅｒ．３）と、ダクト型室内機３の制御プログラム（Ｖｅｒ．１）と、床置き型室内機５の制御プログラム（Ｖｅｒ．２）と、壁掛け型室内機６の制御プログラム（Ｖｅｒ．２）と、室外機１の制御プログラム（Ｖｅｒ．６）とが格納されている。
【００４１】
床置き型室内機５のフラッシュマイコン２５は、例えば、図５（ａ）に示すように、制御プログラム記憶領域５４に、床置き型室内機５の制御プログラム（Ｖｅｒ．４）が格納されている。また、他機制御プログラム記憶領域５７に、床天型室内機２の制御プログラム（Ｖｅｒ．２）と、ダクト型室内機３の制御プログラム（Ｖｅｒ．３）と、天カセ型室内機４の制御プログラム（Ｖｅｒ．４）と、壁掛け型室内機６の制御プログラム（Ｖｅｒ．１）と、室外機１の制御プログラム（Ｖｅｒ．３）とが格納されている。
【００４２】
壁掛け型室内機６のフラッシュマイコン２６は、例えば、図５（ｂ）に示すように、制御プログラム記憶領域５４に、壁掛け型室内機６の制御プログラム（Ｖｅｒ．５）が格納されている。また、他機制御プログラム記憶領域５７に、床天型室内機２の制御プログラム（Ｖｅｒ．２）と、ダクト型室内機３の制御プログラム（Ｖｅｒ．４）と、天カセ型室内機４の制御プログラム（Ｖｅｒ．３）と、床置き型室内機５の制御プログラム（Ｖｅｒ．１）と、室外機１の制御プログラム（Ｖｅｒ．４）とが格納されている。
【００４３】
以下に、このような構成の空気調和機の室内機及び室外機のフラッシュマイコン２１〜２６の動作を、それを示す図６〜図１２のフローチャートを参照しながら説明する。
フラッシュマイコン２１〜２６は、図示しないリモートコントローラ等により、運転開始が指示され、自身が搭載された室内機２〜６又は室外機１の電源がオンにされ（Ｓ１）、その室内機２〜６又は室外機１の更新スイッチ３１〜３６が、所定時間（例えば数秒）以内に（Ｓ４）、オンにされると（Ｓ３）、その更新中であることを示す表示灯４１〜４６の点灯を開始させ（Ｓ５）、制御プログラムの更新処理を実行する（Ｓ７）。本実施の形態の場合、更新スイッチ３１〜３６が、所定時間（例えば数秒）以内に（Ｓ４）、オンにされることが、請求項に記載された「所定の操作」となる。
【００４４】
フラッシュマイコン２１〜２６は、制御プログラムの更新処理を実行した（Ｓ７）後、その表示灯４１〜４６を消灯させ（Ｓ９）、予め設定されている空調運転を行い（Ｓ１１）、自身が搭載された室内機２〜６又は室外機１の電源がオフにされると（Ｓ１３）、空調運転を停止して、電源がオンにされる迄待機する（Ｓ１）。
フラッシュマイコン２１〜２６は、更新スイッチ３１〜３６が、所定時間以内に（Ｓ４）、オンにされなかったとき（Ｓ３）は、予め設定されている空調運転を行い（Ｓ１１）、自身が搭載された室内機２〜６又は室外機１の電源がオフにされると（Ｓ１３）、空調運転を停止して、電源がオンにされる迄待機する（Ｓ１）。
【００４５】
フラッシュマイコン２１〜２６は、制御プログラムの更新処理に際して（Ｓ７）、先ず、床天型室内機２のフラッシュマイコン２２から、床天型室内機２の制御プログラム（Ｖｅｒ．１）情報を取得し（Ｓ２１）、ダクト型室内機３のフラッシュマイコン２３から、床天型室内機２の制御プログラム（Ｖｅｒ．４）情報を取得する（Ｓ２３）。次いで、天カセ型室内機４のフラッシュマイコン２４から、床天型室内機２の制御プログラム（Ｖｅｒ．３）情報を取得し（Ｓ２５）、床置き型室内機５のフラッシュマイコン２５から、床天型室内機２の制御プログラム（Ｖｅｒ．２）情報を取得する（Ｓ２７）。
尚、室内機２〜６のフラッシュマイコン２２〜２６は、室外機１のフラッシュマイコン２１を通じて、他の室内機２〜６のフラッシュマイコン２２〜２６と通信を行う。
【００４６】
フラッシュマイコン２１〜２６は、次に、壁掛け型室内機６のフラッシュマイコン２６から、床天型室内機２の制御プログラム（Ｖｅｒ．２）情報を取得し（Ｓ２９）、室外機１のフラッシュマイコン２１から、床天型室内機２の制御プログラム（Ｖｅｒ．３）情報を取得する（Ｓ３１）。
フラッシュマイコン２１〜２６は、次に、取得した制御プログラム情報のバージョン（改訂版数）情報を比較し、その最新版である床天型室内機２の制御プログラム（Ｖｅｒ．４）を、ダクト型室内機３のフラッシュマイコン２３からダウンロードする（Ｓ３３）。次いで、ダウンロードした床天型室内機２の制御プログラム（Ｖｅｒ．４）で、制御プログラム記憶領域５４又は他機制御プログラム記憶領域５７内の、床天型室内機２の制御プログラムを更新する（Ｓ３５）。
【００４７】
尚、フラッシュマイコン２１〜２６は、取得した制御プログラム情報のバージョン情報を比較し、その最新版である制御プログラムが、自身の制御プログラム記憶領域５４又は他機制御プログラム記憶領域５７内に格納されているときは、その制御プログラムの更新を行わない。
【００４８】
フラッシュマイコン２１〜２６は、次に、床天型室内機２のフラッシュマイコン２２から、ダクト型室内機３の制御プログラム（Ｖｅｒ．４）情報を取得し（Ｓ３７）、ダクト型室内機３のフラッシュマイコン２３から、ダクト型室内機３の制御プログラム（Ｖｅｒ．２）情報を取得する（Ｓ３９）。次いで、天カセ型室内機４のフラッシュマイコン２４から、ダクト型室内機３の制御プログラム（Ｖｅｒ．１）情報を取得し（Ｓ４１）、床置き型室内機５のフラッシュマイコン２５から、ダクト型室内機３の制御プログラム（Ｖｅｒ．３）情報を取得する（Ｓ４３）。
【００４９】
フラッシュマイコン２１〜２６は、次に、壁掛け型室内機６のフラッシュマイコン２６から、ダクト型室内機３の制御プログラム（Ｖｅｒ．４）情報を取得し（Ｓ４５）、室外機１のフラッシュマイコン２１から、ダクト型室内機３の制御プログラム（Ｖｅｒ．１）情報を取得する（Ｓ４７）。
フラッシュマイコン２１〜２６は、次に、取得した制御プログラム情報のバージョン情報を比較し、その最新版であるダクト型室内機３の制御プログラム（Ｖｅｒ．４）を、床天型室内機２のフラッシュマイコン２２からダウンロードする（Ｓ４９）。次いで、ダウンロードしたダクト型室内機３の制御プログラム（Ｖｅｒ．４）で、制御プログラム記憶領域５４又は他機制御プログラム記憶領域５７内の、ダクト型室内機３の制御プログラムを更新する（Ｓ５１）。
【００５０】
フラッシュマイコン２１〜２６は、次に、床天型室内機２のフラッシュマイコン２２から、天カセ型室内機４の制御プログラム（Ｖｅｒ．２）情報を取得し（Ｓ５３）、ダクト型室内機３のフラッシュマイコン２３から、天カセ型室内機４の制御プログラム（Ｖｅｒ．３）情報を取得する（Ｓ５５）。次いで、天カセ型室内機４のフラッシュマイコン２４から、天カセ型室内機４の制御プログラム（Ｖｅｒ．１）情報を取得し（Ｓ５７）、床置き型室内機５のフラッシュマイコン２５から、天カセ型室内機４の制御プログラム（Ｖｅｒ．４）情報を取得する（Ｓ５９）。
【００５１】
フラッシュマイコン２１〜２６は、次に、壁掛け型室内機６のフラッシュマイコン２６から、天カセ型室内機４の制御プログラム（Ｖｅｒ．３）情報を取得し（Ｓ６１）、室外機１のフラッシュマイコン２１から、天カセ型室内機４の制御プログラム（Ｖｅｒ．４）情報を取得する（Ｓ６３）。
フラッシュマイコン２１〜２６は、次に、取得した制御プログラム情報のバージョン情報を比較し、その最新版である天カセ型室内機４の制御プログラム（Ｖｅｒ．４）を、床置き型室内機２のフラッシュマイコン２２からダウンロードする（Ｓ６５）。次いで、ダウンロードした天カセ型室内機４の制御プログラム（Ｖｅｒ．４）で、制御プログラム記憶領域５４又は他機制御プログラム記憶領域５７内の、天カセ型室内機４の制御プログラムを更新する（Ｓ６７）。
【００５２】
フラッシュマイコン２１〜２６は、次に、床天型室内機２のフラッシュマイコン２２から、床置き型室内機５の制御プログラム（Ｖｅｒ．３）情報を取得し（Ｓ６９）、ダクト型室内機３のフラッシュマイコン２３から、床置き型室内機５の制御プログラム（Ｖｅｒ．１）情報を取得する（Ｓ７１）。次いで、天カセ型室内機４のフラッシュマイコン２４から、床置き型室内機５の制御プログラム（Ｖｅｒ．２）情報を取得し（Ｓ７３）、床置き型室内機５のフラッシュマイコン２５から、床置き型室内機５の制御プログラム（Ｖｅｒ．４）情報を取得する（Ｓ７５）。
【００５３】
フラッシュマイコン２１〜２６は、次に、壁掛け型室内機６のフラッシュマイコン２６から、床置き型室内機５の制御プログラム（Ｖｅｒ．１）情報を取得し（Ｓ７７）、室外機１のフラッシュマイコン２１から、床置き型室内機５の制御プログラム（Ｖｅｒ．６）情報を取得する（Ｓ７９）。
フラッシュマイコン２１〜２６は、次に、取得した制御プログラム情報のバージョン情報を比較し、その最新版である床置き型室内機５の制御プログラム（Ｖｅｒ．６）を、室外機１のフラッシュマイコン２１からダウンロードする（Ｓ８１）。次いで、ダウンロードした床置き型室内機５の制御プログラム（Ｖｅｒ．６）で、制御プログラム記憶領域５４又は他機制御プログラム記憶領域５７内の、床置き型室内機５の制御プログラムを更新する（Ｓ８３）。
【００５４】
フラッシュマイコン２１〜２６は、次に、床天型室内機２のフラッシュマイコン２２から、壁掛け型室内機６の制御プログラム（Ｖｅｒ．５）情報を取得し（Ｓ８５）、ダクト型室内機３のフラッシュマイコン２３から、壁掛け型室内機６の制御プログラム（Ｖｅｒ．４）情報を取得する（Ｓ８７）。次いで、天カセ型室内機４のフラッシュマイコン２４から、壁掛け型室内機６の制御プログラム（Ｖｅｒ．２）情報を取得し（Ｓ８９）、床置き型室内機５のフラッシュマイコン２５から、壁掛け型室内機６の制御プログラム（Ｖｅｒ．１）情報を取得する（Ｓ９１）。
【００５５】
フラッシュマイコン２１〜２６は、次に、壁掛け型室内機６のフラッシュマイコン２６から、壁掛け型室内機６の制御プログラム（Ｖｅｒ．５）情報を取得し（Ｓ９３）、室外機１のフラッシュマイコン２１から、壁掛け型室内機６の制御プログラム（Ｖｅｒ．２）情報を取得する（Ｓ９５）。
フラッシュマイコン２１〜２６は、次に、取得した制御プログラム情報のバージョン情報を比較し、その最新版である壁掛け型室内機６の制御プログラム（Ｖｅｒ．５）を、床天型室内機２のフラッシュマイコン２２又は壁掛け型室内機６のフラッシュマイコン２６からダウンロードする（Ｓ９７）。次いで、ダウンロードした壁掛け型室内機６の制御プログラム（Ｖｅｒ．５）で、制御プログラム記憶領域５４又は他機制御プログラム記憶領域５７内の、壁掛け型室内機６の制御プログラムを更新する（Ｓ９９）。
【００５６】
フラッシュマイコン２１〜２６は、次に、床天型室内機２のフラッシュマイコン２２から、室外機１の制御プログラム（Ｖｅｒ．１）情報を取得し（Ｓ１０１）、ダクト型室内機３のフラッシュマイコン２３から、室外機１の制御プログラム（Ｖｅｒ．７）情報を取得する（Ｓ１０３）。次いで、天カセ型室内機４のフラッシュマイコン２４から、室外機１の制御プログラム（Ｖｅｒ．６）情報を取得し（Ｓ１０５）、床置き型室内機５のフラッシュマイコン２５から、室外機１の制御プログラム（Ｖｅｒ．３）情報を取得する（Ｓ１０７）。
【００５７】
フラッシュマイコン２１〜２６は、次に、壁掛け型室内機６のフラッシュマイコン２６から、室外機１の制御プログラム（Ｖｅｒ．４）情報を取得し（Ｓ１０９）、室外機１のフラッシュマイコン２１から、室外機１の制御プログラム（Ｖｅｒ．５）情報を取得する（Ｓ１１１）。
フラッシュマイコン２１〜２６は、次に、取得した制御プログラム情報のバージョン情報を比較し、その最新版である室外機１の制御プログラム（Ｖｅｒ．７）を、ダクト型室内機３のフラッシュマイコン２３からダウンロードする（Ｓ１１３）。次いで、ダウンロードした室外機１の制御プログラム（Ｖｅｒ．７）で、制御プログラム記憶領域５４又は他機制御プログラム記憶領域５７内の、室外機１の制御プログラムを更新し（Ｓ１１５）リターンする。
【００５８】
以上により、増設用の室内機又は室外機を設計する際に、既設の仕様に制限されず、また、制御内容の変更が容易であり、最新の室内機又は室外機を購入して、簡単に置換え又は増設することができる空気調和機、その空気調和機の室内機及び室外機を実現することができる。
また、以上により、増設用の室内機又は室外機を設計する際に、既設の仕様に制限されず、また、制御内容の変更が容易で、その変更中であることを視認することができ、最新の室内機又は室外機を購入して、簡単に置換え又は増設することができる空気調和機、その空気調和機の室内機及び室外機を実現することができる。
【００５９】
尚、本実施の形態の変形例として、制御プログラム更新ルーチンにて、自己の制御プログラムと同じ種類の制御プログラムのバージョン（改訂版数）情報のみを自己以外の複数種類の室内機及び室外機から取得し、制御プログラム記憶領域（第１記憶手段）５４を更新するようにしてもよい。
例えば、自己が床天型室内機２であるとした場合について説明する。
床天型室内機２のフラッシュマイコン２２は、床天型室内機２の制御プログラムのバージョン情報（Ｖｅｒ．１）を取得し、ダクト型室内機３のフラッシュマイコン２３から、床天型室内機２の制御プログラムのバージョン情報（Ｖｅｒ．４）を取得する。次いで、天カセ型室内機４のフラッシュマイコン２４から、床天型室内機２の制御プログラムのバージョン情報（Ｖｅｒ．３）を取得し、床置き型室内機５のフラッシュマイコン２５から、床天型室内機２の制御プログラムのバージョン情報（Ｖｅｒ．２）を取得する。
【００６０】
フラッシュマイコン２２は、次に、壁掛け型室内機６のフラッシュマイコン２６から、床天型室内機２の制御プログラムのバージョン情報（Ｖｅｒ．２）を取得し、室外機１のフラッシュマイコン２１から、床天型室内機２の制御プログラムのバージョン情報（Ｖｅｒ．３）を取得する。
次に、フラッシュマイコン２２は、以上により取得した制御プログラムのバージョン情報を比較し、その最新版である床天型室内機２の制御プログラム（Ｖｅｒ．４）を、ダクト型室内機３のフラッシュマイコン２３からダウンロードする。次いで、ダウンロードした床天型室内機２の制御プログラム（Ｖｅｒ．４）で、制御プログラム記憶領域５４内の、床天型室内機２の制御プログラムを更新する。
【００６１】
また、その他の実施の形態として、以下のようにしても良い。
即ち、更新スイッチ３１〜３６を設けることなく、リモートコントローラ等により運転開始が指示され、室内機２〜６又は室外機１の電源がオンされると、フラッシュマイコンは、自動的に自己以外の室内機及び／又は室外機の制御プログラム記憶領域５４、及び他機制御プログラム記憶領域５７内の各バージョン（改訂版数）情報を取得する。この場合、運転開始を指示して電源をオンすることが請求項に記載された所定の操作となる。
次に、フラッシュマイコンは、取得した制御プログラムのバージョン情報を比較し、最新版が存在する場合には更新を行い、更新が終了した後に、冷暖房運転、除湿運転などの運転に移行し、最新版が存在しなければ、そのまま、冷暖房運転、除湿運転などの運転に移行する。
【図面の簡単な説明】
【００６２】
【図１】本発明に係る空気調和機、室内機及び室外機の実施の形態の要部構成を示すブロック図である。
【図２】図１に示すフラッシュマイコンの内部構成例を示すブロック図である。
【図３】フラッシュマイコンに格納された制御プログラムの組合せ例を示す説明図である。
【図４】フラッシュマイコンに格納された制御プログラムの組合せ例を示す説明図である。
【図５】フラッシュマイコンに格納された制御プログラムの組合せ例を示す説明図である。
【図６】本発明に係る空気調和機の室内機及び室外機のフラッシュマイコンの動作の例を示すフローチャートである。
【図７】本発明に係る空気調和機の室内機及び室外機のフラッシュマイコンの動作の例を示すフローチャートである。
【図８】本発明に係る空気調和機の室内機及び室外機のフラッシュマイコンの動作の例を示すフローチャートである。
【図９】本発明に係る空気調和機の室内機及び室外機のフラッシュマイコンの動作の例を示すフローチャートである。
【図１０】本発明に係る空気調和機の室内機及び室外機のフラッシュマイコンの動作の例を示すフローチャートである。
【図１１】本発明に係る空気調和機の室内機及び室外機のフラッシュマイコンの動作の例を示すフローチャートである。
【図１２】本発明に係る空気調和機の室内機及び室外機のフラッシュマイコンの動作の例を示すフローチャートである。
【符号の説明】
【００６３】
１  室外機
２  床天型室内機
３  ダクト型室内機
４  天カセ型室内機
５  床置き型室内機
６  壁掛け型室内機
１１〜１６  制御回路
２１〜２６  フラッシュマイコン
３１〜３６  更新スイッチ
４１〜４６  表示灯（表示する手段）
５１  ＣＰＵ
５２  フラッシュメモリ
５３  通信プログラム記憶領域
５４  制御プログラム記憶領域（第１記憶手段）
５７  他機制御プログラム記憶領域（第２記憶手段）
【図１】
2008304144.tif 000003
【図２】
2008304144.tif 000004
【図３】
2008304144.tif 000005
【図４】
2008304144.tif 000006
【図５】
2008304144.tif 000007
【図６】
2008304144.tif 000008
【図７】
2008304144.tif 000009
【図８】
2008304144.tif 000010
【図９】
2008304144.tif 000011
【図１０】
2008304144.tif 000012
【図１１】
2008304144.tif 000013
【図１２】
2008304144.tif 000014